(57)【要約】【課題】マイナスイオン作用と効率のよい超音波振動によるキャビテーション作用との両作用により、的確に歯垢を除去することができる超音波イオン歯ブラシを提供すること、また、超音波振動の伝達効率の優れた超音波イオン歯ブラシを提供すること。【解決手段】超音波信号発生手段７と、該超音波信号発生手段７からの信号により超音波を発生する超音波振動子８と、該超音波振動子８からの振動を伝達するホーン３とを有する本体部１と、ブラシ毛５が植毛されたブラシヘッド部２Ａと該ブラシヘッド部２Ａに一体固定された状態でホーン３からの振動を受止める受振板４を有するブラシ部２と、イオンを発生するイオン発生手段とを備え、本体部とブラシ部とが、脱着自在に取付けられている超音波イオン歯ブラシ。【選択図】　　図２
2004041684.tif 000002
【特許請求の範囲】
【請求項１】
超音波信号発生手段と、該超音波信号発生手段からの信号により超音波を発生する超音波振動子と、該超音波振動子からの振動を伝達するホーンとを有する本体部と、ブラシ毛が植毛されたブラシヘッド部と該ブラシヘッド部に一体固定された状態でホーンからの振動を受止める受振板を有するブラシ部と、イオンを発生するイオン発生手段とを備え、本体部とブラシ部とが、脱着自在に取付けられていることを特徴とする超音波イオン歯ブラシ。
【請求項２】
ブラシ部は中空になっており、本体部に対して、ホーンの先端部及び本体部の頭部との二箇所にて支持され脱着可能に取付けられていることを特徴とする請求項１記載の超音波イオン歯ブラシ。
【請求項３】
ホーンは縮小部を有しており、この縮小部がブラシヘッドの内壁部に形成されたリブ状突起と受振板との間にて圧接されて取り付けられるものであることを特徴とする請求項１記載の超音波イオン歯ブラシ。
【請求項４】
ホーンの縮小部の先端には、傾斜を有するテーパ部が形成されており、このテーパ部によりホーンがリブ状突起の上に容易に案内されるものであることを特徴とする請求項３記載の超音波イオン歯ブラシ。
【請求項５】
ホーンの縮小部は、断面が半円形となっており、この円弧の部分に切り欠き溝が形成されていることを特徴とする請求項３記載の超音波イオン歯ブラシ。
【請求項６】
ブラシ部は中空になっており、そのブラシヘッド部からやや末広がりに下方に延びている脚部を有し、該脚部は端部に一対の舌片を備えており、この一対の舌片が、本体の頭部に形成された一対の受け溝に外側から圧入されて取り付けられるものであることを特徴とする請求項１記載の超音波イオン歯ブラシ。
【請求項７】
受振板は、少なくとも一部がブラシヘッド部から外部に露出されていることを特徴とする請求項１記載の超音波イオン歯ブラシ。
【請求項８】
受振板にもブラシ毛が植毛されていることを特徴とする請求項７記載の超音波イオン歯ブラシ。
【請求項９】
前記ホーン及び受振板が、導電性であり、本体外表面に電極部を設け、該電極部が受振板と超音波信号発生手段の電源に導通されていることを特徴とする請求項１記載の超音波イオン歯ブラシ。
【請求項１０】
超音波信号発生手段の電源が、充電可能な電源であることを特徴とする請求項１記載の超音波イオン歯ブラシ。
【発明の詳細な説明】
【０００１】
【発明の属する技術分野】
本発明は、歯ブラシに関し、更に詳しくは、歯から軟らかい歯垢が、超音波エネルギーによるキャビテーションとイオン効果を併用することで容易に除去することができる超音波イオン歯ブラシに関するものである。
【０００２】
【従来の技術】
従来から歯の汚れを除去するための方法として、柄部の先にブラシ毛が植毛された歯ブラシを使ってブラッシングする方法が使用されている。
これは、歯にブラシ毛を、直接、接触させた状態で表面を機械的に磨くものである。
しかし、このような歯ブラシのブラシ毛による摩擦力だけでは、十分な清掃効果が得られないため、例えば、歯磨き剤を補助的に使用して清掃効果を向上させようとしている。
【０００３】
ところが、この清掃効果は、歯の表面に付着した歯垢を除去するには、不十分なために歯垢が残って石灰化し歯石となり易い。
因みに、歯垢とは、歯面に固着した沈着物が蓄積したものであり、更に、連鎖球菌、糸状菌等のさまざまな菌が歯垢細菌を形成して付着しているものである。この歯垢は、イオンによる電気的な架橋結合力と歯垢細菌のバクテリアの繊毛や不溶性グルカンの連鎖力によって、歯の表面に付着している。
【０００４】
そこで、歯垢や歯石を歯から除去するための異なったタイプの歯ブラシ具が種々開発されてきた。
その一つとしてイオン作用を利用したものがある。
例えば、特開２００１−３０９８２０号公報のイオン歯ブラシは、歯と歯ブラシの間に電流を流すことにより、唾液中のカルシウムイオン等による歯面と歯垢の架橋結合力を緩めて歯垢をより効果的に除去し、歯磨き効果を向上させるものである（特許文献１参照）。
【０００５】
このイオン歯ブラシでは、毛先磨きを行う際のイオン作用を利用しているために、柄端部に設けてある発光部が、使用者に対して毛先磨きの条件が整うと点滅して知らせるようになっている。
なお、この毛先磨きとは、磨こうとする歯面に対してブラシの毛先を直角に当てて１００ｇ程度の圧力で磨くことである。
【０００６】
確かに、使用者は、物珍しさから当初は柄端部に設けてある発光部を注視することで毛先磨きが維持されるが、しかし、慣れると共に毛先磨きを維持すること（すなわち柄端部に設けてある発光部を注視すること）が煩わしくなる。
このため、多くの場合、歯ブラシ圧が高くなって、毛先が寧ろ歯に対して開いてしまい歯垢が取れなくなってしまう。
【０００７】
ちなみに、他にイオン効果を利用したものとして特開２００２−３４６６３号公報があり、それにはトルマリンのマイナスイオンの発生効果に注目して、これを歯ブラシのブラシ毛に内在させて利用しようという提案がなされている　（特許文献２参照）。
確かに、口腔内の温度によって少なからずマイナスイオンの発生が認められるが、未だ充分な発生を期待できるものではない。
【０００８】
このようなことから、一方では超音波を利用した歯ブラシが開発されている。例えば、特開昭６３−１０９８０７号公報の超音波歯ブラシは、柄体に内設された振動子からの超音波振動を超音波伝導性のある金属棒によって、ブラシ部に植毛されているブラシ毛に伝達するものである　（特許分文献３参照）。
【０００９】
このブラシ毛に伝達された超音波振動は、口腔内の唾液や液状化した歯磨き剤中にキャビテーションを発生させ、歯の表面に付着した歯垢細菌のバクテリアの繊毛や不溶性グルカンを破壊し、連鎖を解くことでも歯垢を除去する。
従って、毛先磨きのみの効果に加え、歯の表面にキャビテーションを発生させ歯垢を除去するために、極めて効率的である。
【００１０】
この歯ブラシの圧電セラミック振動子には、頚部（すなわち、柄体とブラシ部とを連設する中空構造を備えた部分）と柄体部との螺着時に頚部内を貫通するように、超音波伝導性の導波金属棒が突設されている。
そして、頚部と柄体部との螺着時に導波金属棒先端と超音波の伝導可能に接続される導波金属ソケットが、頚部の頭部側に埋設されている。
【００１１】
さらに、頭体に、導波金属ソケットに延設されるように超音波伝導性の導波金属板が埋設され、その導波金属板に、超音波が伝導可能なようにブラシの根部が固着或いは接続されると共にその上部が頭体表面から外部に突設されている。
このような構造であるために、超音波の振動伝達が、超音波振動子から導波金属棒、導波金属ソケット、導波金属板を経て、ブラシの根部に至るので、４箇所の接合点にて摩擦熱が発生する欠点（すなわち超音波振動エネルギーが摩擦熱エネルギーに拡散する欠点）があり、超音波振動の伝達効率から見た場合、必ずしも十分ではない。
【００１２】
この歯ブラシでは、超音波伝導路において空隙が生じうる接続部分や固着部分には、必要に応じて水、グリセリンその他の超音波透過性媒質を介在させるものであるが、超音波振動の伝達効率は変わらない。
しかも、頚部と柄体部とが螺着されているために、取り付ける際に頚部を回転させた場合、導波金属棒と導波金属ソケットとの間に磨耗が発生し易い。
頚部の取り替えを何度も行うと、柄体部の導波金属棒がすり減り、以後、頚部への超音波振動の伝達が悪くなる。
【００１３】
【特許文献１】
特開２００１−３０９８２０号公報
【特許文献２】
特開２００２−３４６６３号公報
【特許文献３】
特開昭６３−１０９８０７号公報
【００１４】
【発明が解決しようとする課題】
本発明は、かかる実状を背景に、上記の問題点を克服するためになされたものである。
すなわち、本発明の目的は、マイナスイオン作用と効率のよい超音波振動によるキャビテーション作用との両作用により、的確に歯垢を除去することができる超音波イオン歯ブラシを提供することである。
また、超音波振動の伝達効率の優れた超音波イオン歯ブラシを提供することである。
【００１５】
【課題を解決するための手段】
かくして、本発明者は、このような課題背景に対して、鋭意研究を重ねた結果、イオン効果による歯面と歯垢の架橋結合を緩め、さらに歯の表面に歯垢を除去するのに十分なキャビテーションを発生させることで、その架橋結合の解除をより活発化でき、歯垢をより効果的に除去させることを見出し、この知見に基づいて本発明を完成させたものである。
【００１６】
即ち、本発明は、（１）、超音波信号発生手段と、該超音波信号発生手段からの信号により超音波を発生する超音波振動子と、該超音波振動子からの振動を伝達するホーンとを備えた本体部と、ブラシ毛が植毛されたブラシヘッド部と該ブラシヘッド部に一体固定された状態でホーンからの振動を受止める受振板とを備えたブラシ部と、よりなり、本体部とブラシ部とが、脱着自在に取付けられている超音波イオン歯ブラシに存する。
【００１７】
そして、（２）、ブラシ部は、本体部に対して、ホーンの先端部及び本体部の頭部との二箇所にて支持され脱着可能に取付けられている超音波イオン歯ブラシに存する。
【００１８】
そしてまた、（３）、ホーンは縮小部を有しており、この縮小部がブラシヘッド部に形成されたリブ状突起と受振板との間にて圧接されて取り付けられるものである超音波イオン歯ブラシに存する。
【００１９】
そしてまた、（４）、ホーンの縮小部の先端には、傾斜を有するテーパ部が形成されており、このテーパ部によりホーンが案内されるものである超音波イオン歯ブラシに存する。
【００２０】
そしてまた、（５）、ホーンの縮小部は、断面が半円形となっており、この円弧の部分に切り欠き溝が形成されている超音波イオン歯ブラシに存する。
【００２１】
そしてまた、（６）、ブラシ部は中空になっており、そのブラシヘッド部からやや末広がりに下方に延びている脚部を有し、該脚部は端部に一対の舌片を備えており、この一対の舌片が、本体の頭部に形成された一対の受け溝に圧入されて取り付けられるものである超音波イオン歯ブラシに存する。
【００２２】
そしてまた、（７）、受振板は、少なくとも一部がブラシヘッド部から外部に露出されている超音波イオン歯ブラシに存する。
【００２３】
そしてまた、（８）、受振板にブラシ毛が植毛されている超音波イオン歯ブラシに存する。
【００２４】
そしてまた、（９）、前記ホーン及び受振板が、導電性であり、本体外表面に電極部が受振板と超音波信号発生手段の電源に導通されている超音波イオン歯ブラシに存する。
【００２５】
そしてまた、（１０）、超音波信号発生手段の電源が、充電可能な電源である超音波イオン歯ブラシに存する。
【００２６】
本発明は、この目的に沿ったものであれば、上記１〜１０の中から選ばれた２つ以上を組み合わせた構成も当然採用可能である。
【００２７】
【発明の実施の形態】
以下、本発明の実施形態を図面に基づいて説明する。
本発明の超音波イオン歯ブラシは、歯と歯ブラシの間に電流を流すことにより、唾液中のカルシウムイオン等による歯面と歯垢の架橋結合を緩めて歯垢をより効果的に除去する機能、すなわちイオン歯ブラシとしての機能を有する。
そして超音波エネルギーにより、歯の表面に歯垢を除去するのに十分なキャビテーションを発生させて歯垢をより効果的に除去する超音波歯ブラシとしての機能を持ち、異質な二つの作用が後述するよに相乗的な歯磨き効果を発揮するものである。
【００２８】
図１は、本発明の実施の形態の超音波イオン歯ブラシを示す外観図である。
また、図２は、超音波イオン歯ブラシの前半部分を示す断面図であり、（Ａ）は平面断面図、（Ｂ）は側面断面図である。
この歯ブラシは、超音波振動の発生手段とその振動を伝達するホーン３とを備えた本体部１と、ホーン３からの振動を受信する受振板４とブラシ毛５が植毛されたブラシヘッド部２Ａとを備えたブラシ部２とからなる。
【００２９】
超音波振動の発生手段には、超音波信号発生手段７と該超音波信号発生手段７からの信号により超音波を発生する超音波振動子８が備えられている。
超音波信号発生手段７には、全体を制御する制御部１３と、超音波信号を発生する超音波発信器１４と、超音波発信時間を制御するタイマー部１５と、イオン発生用の電流を制御するイオン電流制御部２０と、電源部１６とが、備えられている（図３参照）。
【００３０】
電源部１６には、充電可能な充電池１７と、充電端子１８と、充電時に充電端子１８からの充電池１７に対する充電を制御する充電制御部１９とが、備えられている。
制御部１３は、超音波イオン歯ブラシの状態を制御するもので、本体部１の外側に設けられている電源スイッチ１０（図１参照）と、タイマー部１５と、電源部１６とからの信号が入力されている。
【００３１】
電源に関して制御部１３は、本体部１の外側に設けられている電源スイッチ１０からの信号が入力され、その信号を基に電源のＯＮ／ＯＦＦがされる。
また、電源スイッチ１０には、自照式のＬＥＤ（図示せず）が設けられており、電源がＯＮ時には発光し電源がＯＦＦ時には消える。
また、充電池の起電力が不足するとＬＥＤは、発光が消え充電が必要なことを知らせる。
【００３２】
逆に制御部１３は、電源部１６からの充電が完了した信号を検知するとＬＥＤを緑色に点滅させ充電が終了したことを知らせる。
この電源部１６の充電池１７は、本体部１が充電スタンド（図示せず）に装着されると充電端子１８を介して充電される。
この充電の制御は、充電制御部１９によりされ、充電が完了するとこの信号を制御部１３に出力する。
【００３３】
さて次に、実際の使用手順に基づいて、各部の動作を説明する。
まず、制御部１３は電源スイッチ１０からの電源ＯＮの信号を検知すると、タイマー部１５、超音波発信器１４と、イオン電流制御部２０へ起動信号を出力する。
この信号を検知したタイマー部１５は、所定時間（例えば、３分間）の計測を開始し、計測終了後に終了信号を制御部１３に出力する。
また、超音波振動子８は、同時に起動信号を検知した超音波発信器１４により、超音波周波数（例えば、２００万ヘルツ）で発信した駆動電流が印加される。
【００３４】
同じく、起動信号を検知したイオン電流制御部２０は、本体外表面に設けられた電極部であるプラス電極１１と、ブラシヘッド部２Ａから一部が外部に露出されている受振板４（マイナス電極）との間に電圧を印加し、結果的に歯の表面にイオンを発生させる。
すなわち、イオン発生手段となる受振板４とホーン３とイオン電流制御部２０と本体外表面に設けられたプラス電極１１と電源部１６とが、人体（例えば人の手）を介して相互に導通されてイオンを発生するのである。
ただし、イオン発生時の電流は、歯の表面及び手との接触抵抗により変化するので、イオン電流制御部２０により、制御される。
【００３５】
なお、イオン歯ブラシとして機能は、後ほど述べるが、ここでは超音波歯ブラシとしての動作を更に詳しく説明する。
超音波振動子８は、超音波発信器１４が発信した駆動電流により、所定の超音波周波数で振動が開始される。
【００３６】
この振動は、後述べるように、超音波振動子８と一体に取り付けられたホーン３に伝達され、次に、ブラシヘッド部２Ａに一体化されている受振板４へと伝わる。
ここで超音波イオン歯ブラシの構造的な特徴について述べると、ホーン３は、超音波振動子８から起立状に延びて、本体部１の頭部９から、外方に突出している。
【００３７】
図４は、本体部１の頭部９より突出した状態のホーンを一部破断で示し、（Ａ）は一部破断平面図、また（Ｂ）は一部破断側面図である。
そして、ホーン３は、先端から一定の範囲が縮小されて縮小部３Ａとなっており（図２参照）、その断面は半円状に形成されている。
また、縮小部３Ａの弧状部分にはＵ溝又はＶ溝等の３つの切り欠き溝３Ａ２が形成されており、この溝により超音波の伝達効率が極めて良くなることを実験で確かめている。
【００３８】
ところで、本体部１からブラシ部２へは超音波振動が効率よく且つ的確に伝達されなければならない。
そのために、ブラシ部２は、本体部１と間において、第１の支持場所と第２の支持場所との二箇所で支持された状態で脱着可能に取付けられている。
第１の支持場所は、本体部１の頭部９の中央付近とブラシ部２の下端部との間である。
【００３９】
図５は、第１の支持場所におけるブラシ部２と本体部１との取付け関係を示す圧入前の図であり、（Ａ）は平面図、（Ｂ）は側面図を示す。
図６は、第１の支持場所におけるブラシ部２と本体部１との取付け関係を示す圧入後の図であり、（Ａ）は平面図、（Ｂ）は側面図を示す。
ブラシ部２は中空になっており、ブラシ毛５を有する部分であるブラシヘッド部２Ａと、そのブラシヘッド部２Ａからやや末広がりに下方に延びている脚部２Ｂとよりなる。
【００４０】
そして、この脚部２Ｂは端部に一対の舌片Ｔを備えており、この舌片Ｔが、本体部１の頭部９に外挿圧入される。
頭部９は、本体部１から恰も象鼻のように、先方に細くなって延びるように形成されており、この中央外周付近に上記脚部２Ｂの一対の舌片Ｔを受ける入れるための一対の受け溝Ｇが形成されている。
【００４１】
本体部１の頭部９をブラシ部２に挿入すると、ブラシ部２の脚部２Ｂの舌片Ｔが、この受け溝Ｇに外側から嵌まり込むと同時に圧入状態となって取り付けられる。
しかも、舌片Ｔと受け溝Ｇとは相互に噛み合っているために、両者間での回動等の緩みは全く生じない。
また頭部９をブラシ部２に挿入する際は、先細状になった舌片Ｔが頭部９の受け溝Ｇに自然に誘導されるために、位置決めが行い易い。
【００４２】
一方、第２の支持場所は、ブラシ部２のブラシヘッド部２Ａに一体に埋め込まれて取り付けられた受振板４と、超音波振動子８から突設しているホーン３の先部との間である。
なお、超音波振動子８は円盤状となっており、本体部の頭部９から起立した複数の支持片９１により数ヶ所にて保持されている。
ブラシ部２のブラシヘッド部２Ａの中に本体部１のホーン３が挿入された状態では、ホーン３はブラシヘッド部２Ａに埋め込まれた受振板４に強く接していなければならない。
【００４３】
このようにホーン３が受振板４に強く接することで、ホーン３から受振板４に効率良く超音波振動が伝達されるのである。
そのために、本発明では、受振板４が埋め込まれた位置とは反対側のブラシヘッド部内壁にリブ状突起Ｐが設けられている。
【００４４】
ホーン３は、その先端が、このリブ状突起Ｐと受振板４との間に圧入支持されている状態となる。
ホーン３は、その縮小部３Ａに形成された円弧面でリブ状突起Ｐと接しているために、両者の接触面積は極めて限られたものとなっている。
【００４５】
図７及び図８は、第２の支持場所において、ホーン３と受振板４との関係を示したものである。
図７は、受振板４とリブ状突起Ｐの間にホーン３が圧入される前の状態を示す図であり、（Ａ）は縦断面を（Ｂ）はそのＢ−Ｂ断面を示す。
【００４６】
また図８は、受振板４とリブ状突起Ｐの間にホーン３が圧入された後の状態を示す図であり、（Ａ）は縦断面を（Ｂ）はそのＢ−Ｂ断面を示す。
ホーン３の先端は傾斜を有するテーパ部３Ａ１となっているために、これがホーン３がリブ状突起Ｐに乗り上げる際の案内役となる。
【００４７】
ここで、超音波振動の伝達の観点からいうと、リブ状突起Ｐにホーン３が圧接していることから、超音波振動の伝達がありえるが、ブラシ部２は長い脚部２Ｂを介して本体部１と第２の支持場所にて支持されているために、この第２の支持場所で振動伝達が殆ど中断される。
【００４８】
以上述べたように、本体部１とブラシ部２とは、第１の支持場所と第２の支持場所との二箇所により支持されており、それ以外の部分では接していない。
しかも第２の支持場所においては、ホーン３は、その先端部でリブ状突起Ｐと受振板４とで僅かに接するだけである。
【００４９】
因みに、ホーン３は、基部を超音波振動子８に固定されており、その以外は本体部１の壁にも接触していない。
ただ、ホーン３が本体部１の頭部先端から突出する部分においては、ブラシヘッド部内の空隙を通して液が本体部の中に逆流しないように、可撓性パッキング６により封鎖されている（図４参照）。
【００５０】
このようなことから、ホーン３に関していえば、第２の支持場所の一箇所だけで支持されることとなり、他の部分との接触範囲は極めて少ない。
その結果、ホーン３からブラシヘッド部２Ａに埋め込まれた受振板４に、的確に且つ効率良く超音波振動が伝わって、その振動エネルギーが拡散し減衰することが回避される。
【００５１】
第１の支持場所は、ブラシ部２と本体部１とが外れないように一体化する役割を果たし、第２の支持場所は、同様な外れない役割と、超音波振動を受振板４に効率よく伝達するための役割とを果たすものである。
また、超音波振動伝達方法が、振動源である超音波振動子８とホーン３とは、例えば半田付け等により一体化されているため、ホーン３から受振板４への一つの接合点を介する伝達だけで済み、超音波振動の伝達効率が、先述したような従来の超音波歯ブラシに比べ改善されることがわかろう。
【００５２】
さて、ブラシ部２の受振板４は、ブラシヘッド部２Ａ（通常はプラスチックで形成されている）に対してインサート一体成形により埋め込まれているが、その際、受振板４の一部に突起を形成することで両者の一体化はより確実なものとなくことはいうまでもない。
【００５３】
受振板４は、少なくとも一部がブラシヘッド部２Ａから外部に露出されていることで、超音波振動が、直接、口腔内の唾液や液状化した歯磨き剤に的確に伝達されキャビテーションを発生させる。
また、同時にキャビテーションを起こして、結果的にブラシ毛５を微細に振動させ、歯に接触したブラシ毛５と歯との間に微細振動による摩擦作用を発生させることなる。
このことにより、歯の表面に付着している歯垢は、このキャビテーション効果と摩擦作用で歯の表面への結合力が弱まって容易に除去される。
【００５４】
さて、上述のキャビテーション効果による歯垢除去の動作が繰り返されるが、その後一定時間して、制御部１３には、電源ＯＮから所定時間が経過したことによりタイマー部１５からの終了信号が入力される。
超音波振動子８への駆動電流を発生している超音波発信器１４は、終了信号を検知した制御部１３からの発信停止信号により、駆動電流の発生が停止される。
その結果、超音波振動子８の振動が、停止されることとなる。
【００５５】
次に、イオン歯ブラシとしてのイオン発生機能について述べる。
図１に示すように、イオン歯ブラシとしては、手で把持される本体部１と交換可能なブラシ部２との間で、口内を介して導通されるものである。
本体部１の手で把持される部分には、前述したように、手と接触する電極部（例えば金属板）であるプラス電極１１が設けられている。
なお、プラス電極１１は、握った場合に手と接触し易いか否かの観点から、ブラシ毛の植え込み方向とは垂直方向に設けることが好ましい。
【００５６】
プラス電極１１は、後述する、微弱な口内電流を流す一方の電極となるものであり、本体部１内に配置された超音波信号発生手段７を構成するイオン電流制御部２０を介して、電源部１６に導通される。
マイナス電極である導電性の受振板４（例えばジュラルミン）は、本体部１の導電性のホーン３（例えばジュラルミン）と、イオン電流制御部２０を介して、電源部１６に導通される。
【００５７】
受振板４は、先述したように、多数のブラシ毛５が植毛されているブラシヘッド部２Ａから一部が外部に露出されている。
露出した受振板４に、唾液や液状化した歯磨き剤が接することによって、電源（イオン電流制御部２０を介して）のプラス極、プラス電極１１（図１参照）、手、歯茎（少なくとも歯）、受振板４、ホーン３、電源（イオン電流制御部２０を介して）のマイナス極の閉回路が形成されて口内電流がマイナスイオンとなって流れる（　図９参照）　。
【００５８】
この口内電流は、イオン化傾向を持つ歯垢の歯面との架橋結合を緩めて離れ易くするが、先述した超音波振動でキャビテーションを発生させるために、該架橋結合が更に解け易くなり、両作用の相乗効果が生じる。
そのためより確実にマイナスイオンによる歯垢を除去する効果が発揮されることになる。
【００５９】
なお、ブラシ毛５には、例えばトルマリンが配合されていることにより、受振板４での超音波振動から、ブラシヘッド部２Ａのボデーを介してブラシ毛５に圧力が加えられことで、効率良くマイナスイオンが発生させられる。
さらには、キャビテーションによる衝撃波が、ブラシ毛５に加わることでもマイナスイオンが発生させられる。
【００６０】
本発明は、上述した実施の形態に限られるものではなく、その目的に則したものであれば種々の変形が可能である。
例えば、超音波イオン歯ブラシは、イオンと超音波との２つの作用を備えたものであるが、更に、機械的な振動を本体部に与えて、使用感を高めることも当然可能である。
【００６１】
また、本発明の超音波信号発生手段としては、図３に示すものに限るものではなく、例えば、電源部の電源は、一次電池、二次電池又は外部からの電源でもよい。
またＬＥＤの発光色や発光方法も、本実施の形態に制限されるものではない。また、充電用の端子は、充電コイルに変えて誘導起電力を利用したものも当然可能である。
【００６２】
【発明の効果】
以上説明したように、本発明の超音波イオン歯ブラシは、マイナスイオンによる歯垢の歯面との架橋結合を緩めて離れ易くする効果と、超音波振動によるキャビテーション効果とにより、歯垢を確実に除去することができる。
しかも、キャビテーション効果により、より歯垢の歯面との架橋結合が解け易くなり、イオン効果が高まる。
【００６３】
また、本発明の超音波イオン歯ブラシは、超音波振動の伝達効率が良く、キャビテーション作用も効果的に発揮される。
これらの相乗作用により、口内の歯垢が的確に容易に除去される。
【図面の簡単な説明】
【図１】図１は、本発明の実施の形態の超音波イオン歯ブラシを示す外観図である。
【図２】図２は、超音波イオン歯ブラシの前半部分を示す断面図であり、（Ａ）は平面断面図、（Ｂ）は側面断面図である。
【図３】図３は、超音波信号発生手段を示すブロック図である。
【図４】図４は、本体部の頭部より突出した状態のホーンを一部破断で示し、（Ａ）は一部破断平面図、また（Ｂ）は一部破断側面図である。
【図５】図５は、第１の支持場所におけるブラシ部と本体部との取付け関係を示す圧入前の図であり、（Ａ）は平面図、（Ｂ）は側面図を示す。
【図６】図６は、第１の支持場所におけるブラシ部と本体部との取付け関係を示す圧入後の図であり、（Ａ）は平面図、（Ｂ）は側面図を示す。
【図７】図７は、受振板とリブ状突起の間にホーンが圧入される前の状態を示す図であり、（Ａ）は縦断面を（Ｂ）はそのＢ−Ｂ断面を示す。
【図８】図８は、受振板とリブ状突起の間にホーンが圧入された後の状態を示す図であり、（Ａ）は縦断面を（Ｂ）はそのＢ−Ｂ断面を示す。
【図９】図９は、イオン作用を説明する図である。
【符号の説明】
１…本体部
２…ブラシ部
２Ａ…ブラシヘッド部
２Ｂ…脚部
３…ホーン
３Ａ…縮小部
３Ａ１…テーパ部
３Ａ２…切り欠き溝
４…受振板
５…ブラシ毛
６…可撓性パッキング
７…超音波信号発生手段
８…超音波振動子
９…頭部
９１…支持片
１０…電源スイッチ
１１…プラス電極（電極部）
１３…制御部
１４…超音波発信器
１５…タイマー部
１６…電源部
１７…充電池
１８…充電端子
１９…充電制御部
２０…イオン電流制御部
Ｇ…受け溝
Ｐ…リブ状突起
Ｔ…舌片
【図１】
2004041684.tif 000003
【図２】
2004041684.tif 000004
【図３】
2004041684.tif 000005
【図４】
2004041684.tif 000006
【図５】
2004041684.tif 000007
【図６】
2004041684.tif 000008
【図７】
2004041684.tif 000009
【図８】
2004041684.tif 000010
【図９】
2004041684.tif 000011